(57)【要約】【課題】水栓にホースを接続し易く、手足も洗い易く、無理のない姿勢で使用できる地中埋設型流しを提供する。【解決手段】底面１ｂに排水口１ｃが形成された地中に埋設される流し本体１と、流し本体１の上面開口部１ａに開閉自在若しくは脱着自在に取付けられた蓋体２と、流し本体１の内部に収容される給水パイプ３ａの先端に水栓３ｂが取付けられた可動式給水装置３とからなり、可動式給水装置３の給水パイプ３ａが流し本体１に導入された給水管３ｃの先端に起倒自在に接続されている構成とする。開閉自在若しくは脱着自在に取付けられた蓋体２を開けて、流し本体１の内部に収容されている可動式給水装置３の起倒自在な給水パイプ３ａを引き起こすと、給水パイプ３ａの先端に取付けられた水栓３ｂの位置が従来の水栓柱の蛇口と同程度の高さとなるため、立ったままの無理のない姿勢でホースを水栓３ｂに接続することができるし、手足も洗い易くなる。【選択図】図１
2006316405.tif 000002
【特許請求の範囲】
【請求項１】
底面に排水口が形成された地中に埋設される流し本体と、流し本体の上面開口部に開閉自在若しくは脱着自在に取付けられた蓋体と、流し本体の内部に収容される給水パイプの先端に水栓が取付けられた可動式給水装置とからなり、可動式給水装置の給水パイプが流し本体に導入された給水管の先端に起倒自在に接続されていることを特徴とする地中埋設型流し。
【請求項２】
流し本体の下端部にスカート部が形成されていることを特徴とする請求項１に記載の地中埋設型流し。
【発明の詳細な説明】
【技術分野】
【０００１】
本発明は、地中に埋設される地中埋設型流しに関するものである。
【背景技術】
【０００２】
近年、庭やベランダなどに屋外用の流しを設置して、その背後に水栓柱を立設し、庭仕事などで汚れた手足を洗ったり、水栓柱にホースを接続して植物に散水したり洗車をする家庭が増えている。しかしながら、このような屋外用の流しや水栓柱はかなり目立つため、ややもすると庭やベランダの景観を損なったり邪魔になったりする恐れがあった。
【０００３】
そこで、地中埋設型の散水栓装置として、例えば、図４に示すように開閉自在な蓋１０２を備えた散水栓ボックス１０１の底部に水栓接続孔１０３と排水孔１０４とを設け、水栓接続孔１０３に散水栓１０５を取付けるようにした散水栓装置１００が提案されている（特許文献１）。
【０００４】
このような散水栓装置１００が地面に埋設されていると、散水栓ボックス１０１の蓋１０２を開けてホースを散水栓１０５に接続し、庭木や芝生に散水したり洗車をすることができるので便利であり、しかも、非使用時に蓋１０２を閉めておくと全く目立たないので庭などの景観を損なう心配はなくなる。しかしながら、この散水栓装置１００は、散水栓１０５が地面よりも低い位置にあるのでホースの接続作業がし辛く、また、汚れた手足を洗うときもしゃがんだ姿勢で洗わなければならないので非常に洗いにくいという問題があった。
【特許文献１】特開平７−１８２７４７号公報
【発明の開示】
【発明が解決しようとする課題】
【０００５】
本発明は上記の事情に鑑みてなされたもので、水栓にホースを接続し易く、手足も洗い易く、無理のない姿勢で使用できる地中埋設型流しを提供することを解決課題としている。
【課題を解決するための手段】
【０００６】
上記目的を達成するため、本発明に係る地中埋設型流しは、底面に排水口が形成された地中に埋設される流し本体と、流し本体の上面開口部に開閉自在若しくは脱着自在に取付けられた蓋体と、流し本体の内部に収容される給水パイプの先端に水栓が取付けられた可動式給水装置とからなり、可動式給水装置の給水パイプが流し本体に導入された給水管の先端に起伏自在に接続されていることを特徴とするものである。
【０００７】
本発明の地中埋設型流しにおいては、流し本体の下端部にスカート部が形成されているとが好ましい。
【発明の効果】
【０００８】
本発明の地中埋設型流しは、開閉自在若しくは脱着自在に取付けられた蓋体を開けて、流し本体の内部に収容されている可動式給水装置の起倒自在な給水パイプを引き起こすと、給水パイプの先端に取付けられた水栓の位置が従来の水栓柱の蛇口と同程度の高さとなるため、立ったままの無理のない姿勢でホースを水栓に接続することができるし、手足も洗い易くなる。
【０００９】
また、流し本体の下端部にスカート部が形成された地中埋設型流しは、排水管を通すスペースを確保するだけでなく、地中に埋設したとき、スカート部が土台の役目を果たして流し本体の安定度が増す。
【発明を実施するための最良の形態】
【００１０】
以下、図面を参照して本発明の具体的な実施形態を詳述するが、本発明はこの実施形態のみに限定されるものではない。
【００１１】
図１は本発明の一実施形態に係る地中埋設型流しの蓋を開けた状態の横断正面図、図２は同地中埋設型流しの蓋体を開けた状態の縦断側面図、図３は同地中埋設型流しの蓋体を閉めた状態の縦断側面図である。
【００１２】
図１、図２、図３に示す地中埋設型流しＡは、流し本体１と、流し本体１の上面開口部１ａに取付けられた蓋体２と、流し本体１の内部に収容された可動式給水装置３と、流し本体の四周の下端部に形成されたスカート部４とで構成されている。
【００１３】
流し本体１は、ポリプロピレン等の合成樹脂やレジンコンクリートなどで一体成形された上面が開口した有底の箱体であって、周囲の土圧に十分耐え得る相当の厚みを有している。この流し本体１の底面１ｂには排水口１ｃが形成されており、図１に示すように、流し本体１の底面１ｂが排水口１ｃに向かって徐々に低くなるように傾斜している。そして、この排水口１ｃは、エルボ継手５を介して排水管６に接続されている。
【００１４】
また、流し本体１の四周の下端部には、流し本体１を地中に埋設したときの安定度が増すように、土台の役目を果たすスカート部４が一体に形成されており、図２、図３に示すように、その左右両側面には、上記排水管６，６を通すための凹欠部４ａ，４ａが形成されている。このようなスカート部４が形成されていると、地中埋設型流しＡを地中に埋設したとき、該スカート部４が土中に食い込んで土台の役目を果たすため、地中埋設型流しＡが不安定になるのを防止することができる。
【００１５】
一方、流し本体１の上面開口部１ａには、図１、図２に示すように、正面及び左右側面の合計３辺に蓋受段部１ｅが形成されており、その蓋受段部１ｅに蓋体２が載置されるようになっている。
【００１６】
尚、流し本体１の底面１ｂに形成された排水口１ｃにゴム栓をして、流し本体１の内部に水を溜められるようにしてもよいし、また、内部の余ったスペース部分に棚部や収納部を形成して手足を洗う石鹸類や庭木を手入れする小道具類等を収容できるようにしてもよい。
【００１７】
上記流し本体１の上面開口部１ａに取付けられる蓋体２は、レジンコンクリートや鋳鉄などで成形されたのもので、その上に車や人が載っても割れないような十分な強度を有している。この蓋体２は、図１、図２に示すように、左右両側面の後端部が支軸１ｆ，１ｆによって流し本体１の蓋受段部１ｅ，１ｅの側面後端部に軸支され、この支軸１ｆ，１ｆを中心にして９０°開閉できるようになっている。
【００１８】
また、この蓋体２は、図２に示すように、蓋体２の片側面と、流し本体１の片側の蓋受段部１ｅの側面，１ｅとに取付けられた３点式の屈曲可倒式ステー２ａ，２ａによって、蓋体２を９０°開けた状態で固定できるようになっており、蓋体２を閉めるときは、上記の屈曲可倒式ステー２ａ，２ａが屈曲して折り畳まれた状態となって蓋体２を閉めることができるようになっている。
【００１９】
尚、本実施例では、蓋体２として開閉自在な蓋体を使用しているが、単に、流し本体１の上面開口部１ａに被着させる脱着自在な蓋体を使用してもよいことは言うまでもない。
【００２０】
流し本体１の内部に収容される可動式給水装置３は、給水パイプ３ａの先端に水栓３ｂを取付けたもので、給水パイプ３ａは、流し本体１の側面から導入された給水管３ｃの先端に起倒自在に接続されており、図３に示す水平位置から図２に示す９０°起立した位置まで自在に回転するようになっている。従って、水を使用したいときには、可動式給水装置３を起立させて無理のない姿勢で使うことができ、また、使用しないときに可動式給水装置３を水平に倒して流し本体１の内部に収容しておくと邪魔にならないし、周囲の景観を損なう心配もない。
【００２１】
尚、給水管３ｃは水道管に接続するのが通常であるが、例えば、雨水貯溜タンクなどと接続して、雨水を再利用するようにしてもよい。
【００２２】
以上の説明から明らかなように、本発明の地中埋設型流しＡは、庭木や芝生に水をやるために蓋体２を９０°を開いて、可動式給水装置３を９０°起立させると、水栓３ｂの位置がホースをちょうど接続し易い高さとなるため、従来の地中埋設型の散水栓ボックスのように姿勢を屈めなくても楽に接続することができ、手足も洗い易くなる。また、手足等を洗った後の水は、流し本体１の底面１ｂの排水口１ｃから排水管６に排水されるので、流し本体１の内部が汚れたりカビが生えたりして不衛生になるのを防止することができる。そして、使用後は、可動式給水装置３を水平に倒すと流し本体１の内部にすっぽりと収容できるため、邪魔になったり景観を損ねたりする心配もない、といった顕著な効果を奏する。
【図面の簡単な説明】
【００２３】
【図１】本発明の一実施形態に係る地中埋設型流しの蓋を開けた状態の横断正面図である。
【図２】同地中埋設型流しの蓋体を開けた状態の縦断正面図である。
【図３】同地中埋設型流しの蓋体を閉めた状態の縦断側面図である。
【図４】従来の地中埋設型の散水栓装置を示す一部切欠正面断面図である。
【符号の説明】
【００２４】
Ａ    地中埋設型流し
１    流し本体
１ａ  上面開口部
１ｂ  底面
１ｃ  排水口
２    蓋体
３    可動式給水装置
３ａ  給水パイプ
３ｂ  水栓
３ｃ  給水管
４    スカート部
【図１】
2006316405.tif 000003
【図２】
2006316405.tif 000004
【図３】
2006316405.tif 000005
【図４】
2006316405.tif 000006